(57)【要約】  アクセスネットワーク発見および選択のための方法、システム、およびコンピュータ読取可能媒体を開示する。一局面によると、アクセスネットワーク発見および選択のためのシステムは、ユーザ装置（ＵＥ）がコアネットワークに接続するのに使用可能なアクセスネットワークをＵＥに対して識別するためのアクセスネットワーク発見および選択機能（ＡＮＤＳＦ）ネットワーク要素を含み、ＡＮＤＳＦは、コアネットワーク内のノードと通信するためのインターフェイスを含む。ＡＮＤＳＦは、コアネットワーク内のノードから情報を受信し、受信した情報に少なくとも一部基づいて、アクセスネットワーク発見または選択動作を行うように構成される。
2015524194.tif 000002
【特許請求の範囲】
【請求項１】
アクセスネットワーク発見および選択のためのシステムであって、前記システムは、
ユーザ装置（ＵＥ）がコアネットワークに接続するのに使用可能なアクセスネットワークを前記ＵＥに対して識別するためのアクセスネットワーク発見および選択機能（ＡＮＤＳＦ）ネットワーク要素を備え、
前記ＡＮＤＳＦは、前記コアネットワークに関連付けられるポリシーおよび課金ルール機能（ＰＣＲＦ）と通信するためのインターフェイスを含む、システム。
【請求項２】
前記ＡＮＤＳＦは、前記ＰＣＲＦから情報を受信する、請求項１に記載のシステム。
【請求項３】
前記ＡＮＤＳＦは、前記ＡＮＤＳＦが前記ＰＣＲＦから受信する情報に基づいて、アクセスネットワークを前記ＵＥに対して識別する、請求項２に記載のシステム。
【請求項４】
前記ＵＥは、前記ＡＮＤＳＦによって前記ＵＥに対して識別された前記アクセスネットワークを使用する、請求項３に記載のシステム。
【請求項５】
前記ＡＮＤＳＦは、前記ＰＣＲＦからの前記情報の受信に応じてポリシーを実現する、請求項２に記載のシステム。
【請求項６】
ポリシーの実現は、アクセスポリシーの実現、モビリティポリシーの実現、ルーティングポリシーの実現、オフロードの実行、トラフィックの優先順位付け、コアネットワークについての情報の提供、およびアクセスネットワークについての情報の提供、の少なくとも１つを含む、請求項５に記載のシステム。
【請求項７】
前記ＡＮＤＳＦは、前記ＡＮＤＳＦから前記ＰＣＲＦに送信された要求に応じて、前記ＰＣＲＦから情報を受信する、請求項５に記載のシステム。
【請求項８】
ＡＮＤＳＦは、前記ＰＣＲＦに情報を送信する、請求項１に記載のシステム。
【請求項９】
前記ＰＣＲＦに送信される前記情報は、
前記ＰＣＲＦからの情報の要求、
前記ＰＣＲＦから受信した情報の確認、
ポリシーを実現する際の成功または失敗の通知、
前記ＰＣＲＦが要求した機能を実行する際の成功または失敗の通知、
前記ＵＥによるアクティビティまたはアクティビティの変更の通知、および
前記ＵＥの状態または状態の変化の通知、
の少なくとも１つを含む、請求項８に記載のシステム。
【請求項１０】
前記インターフェイスは、Diameterプロトコルおよびハイパーテキスト転送（ＨＴＴＰ）プロトコルの少なくとも一方を使用する、請求項１に記載のシステム。
【請求項１１】
アクセスネットワーク発見および選択のための方法であって、前記方法は、
ユーザ装置（ＵＥ）がコアネットワークに接続するのに使用可能なアクセスネットワークを前記ＵＥに対して識別するためのアクセスネットワーク発見および選択機能（ＡＮＤＳＦ）ネットワーク要素において、ポリシーおよび課金ルール機能（ＰＣＲＦ）から情報を受信することと、
前記ＰＣＲＦから受信した前記情報に少なくとも一部基づいて機能を実行することとを備える、方法。
【請求項１２】
前記機能を実行することは、アクセスネットワークを前記ＵＥに対して識別することを含む、請求項１１に記載の方法。
【請求項１３】
前記ＡＮＤＳＦによって前記ＵＥに対して識別された前記アクセスネットワークを、前記ＵＥによって使用することを備える、請求項１２に記載の方法。
【請求項１４】
前記機能を実行することは、ポリシーを実現することを含む、請求項１１に記載の方法。
【請求項１５】
ポリシーの実現は、アクセスポリシーの実現、モビリティポリシーの実現、ルーティングポリシーの実現、トラフィックの優先順位付け、コアネットワークについての情報の提供、およびアクセスネットワークについての情報の提供、の少なくとも１つを含む、請求項１４に記載の方法。
【請求項１６】
ＰＣＲＦから情報を受信することは、前記ＡＮＤＳＦから前記ＰＣＲＦに送信された要求に応じて前記ＰＣＲＦから情報を受信することを含む、請求項１１に記載の方法。
【請求項１７】
ＰＣＲＦから情報を受信することは、Diameterプロトコルおよびハイパーテキスト転送（ＨＴＴＰ）プロトコルの少なくとも一方を介して情報を受信することを含む、請求項１１に記載の方法。
【請求項１８】
前記ＡＮＤＳＦから前記ＰＣＲＦに情報を送信することを備える、請求項１１に記載の方法。
【請求項１９】
前記ＰＣＲＦに送信される前記情報は、
前記ＰＣＲＦからの情報の要求、
前記ＰＣＲＦから受信した情報の確認、
ポリシーを実現する際の成功または失敗の通知、
前記ＰＣＲＦが要求した機能を実行する際の成功または失敗の通知、
前記ＵＥによるアクティビティまたはアクティビティの変更の通知、および
前記ＵＥの状態または状態の変化の通知、
の少なくとも１つを含む、請求項１８に記載の方法。
【請求項２０】
前記ＰＣＲＦに送信される前記情報は、Diameterプロトコルおよびハイパーテキスト転送（ＨＴＴＰ）プロトコルの少なくとも一方を使用する、請求項１１に記載の方法。
【請求項２１】
コンピュータのプロセッサによって実行されると前記コンピュータを制御してステップを実行させる実行可能命令を格納している非一時的なコンピュータ読取可能媒体であって、前記ステップは、
ユーザ装置（ＵＥ）がコアネットワークに接続するのに使用可能なアクセスネットワークを前記ＵＥに対して識別するためのアクセスネットワーク発見および選択機能（ＡＮＤＳＦ）ネットワーク要素において、ポリシーおよび課金ルール機能（ＰＣＲＦ）から情報を受信するステップと、
前記ＰＣＲＦから受信した前記情報に少なくとも一部基づいて機能を実行するステップとを備える、コンピュータ読取可能媒体。
【発明の詳細な説明】
【技術分野】
【０００１】
優先権主張
本願は、２０１２年５月２１日に出願された米国仮特許出願連続番号第６１／６４９，８８５号の利益を主張し、この米国仮特許出願連続番号第６１／６４９，８８５号の開示は、全文が引用によって本明細書に援用される。
【０００２】
技術分野
ここに記載される主題は、さまざまなネットワークおよびネットワーク種類にわたる通信を可能にするための方法およびシステムに関する。より特定的には、ここに記載される主題は、アクセスネットワーク発見および選択のための方法、システム、およびコンピュータ読取可能媒体に関する。
【背景技術】
【０００３】
背景
電気通信ネットワークおよびデータネットワークなどの多くのネットワークは、コアネットワークおよびアクセスネットワークと称されるものに概念的に分割され得る。コアネットワークは、アクセスネットワークによって接続されている顧客にさまざまなサービスを提供する電気通信ネットワークの中心部である。コアネットワークは典型的に有線または光ファイバネットワークであり、ネットワークの構造および機能バックボーンを構成する。コアネットワークはインターネットなどのパブリックデータネットワークとは異なるが、コアネットワークはゲートウェイを含み得、これによってコアネットワークはパブリックデータネットワークと通信し得る。アクセスネットワークは、個々のユーザおよびユーザ装置（ＵＥ）とコアネットワークとの間のインターフェイスを提供し、したがって、アクセスネットワークの機能は当然、ＵＥがコアネットワークにアクセスできるようにすることであるため、電気通信またはデータネットワークのトポロジー周辺部を構成すると考えられる。アクセスネットワークは、移動電話用の携帯電話無線インターフェイス、Ｗｉ−Ｆｉアクセスポイント用の８０２．１１準拠無線通信などの無線部品を含むことが多い。
【０００４】
携帯電話、スマートフォン、携帯情報端末等のモバイル機器は、複数種類の無線ネットワーク上で通信する能力を有し得る。たとえば、携帯電話は、ＬＴＥ（long term evolution）ネットワークなどのセルラーネットワーク上およびＷｉ−ＦｉまたはＷｉＭＡＸネットワーク上の両方で通信可能であり得る。したがって、任意の特定の地理的な場所において、携帯電話または他のＵＥは、ＵＥによって使用可能な複数のアクセスネットワークの近傍にあり得る。
【０００５】
図１は、従来の電気通信ネットワークの一部を示すネットワーク図である。ネットワーク１００は、ポリシーおよび課金ルール機能（policy and charging rules function：ＰＣＲＦ）１０２と、アクセスネットワーク発見および選択機能（access network discovery and selection function：ＡＮＤＳＦ）１０４とを含む。
【０００６】
ＰＣＲＦ１０２は、ポリシー制御決定と、フローベースの課金制御機能とを含む。ＰＣＲＦ１０２は、ＱｏＳに関するネットワーク制御と、コアネットワークとアクセスネットワークとの間のゲートウェイなどのゲートウェイに向かうフローベースの課金とを提供する。ＰＣＲＦ１０２は、ポリシー要求に応じてポリシー決定を下し、かつネットワーク内の他のノードにポリシー命令を提供するための、ポリシーエンジン１０６を含む。ＰＣＲＦ１０２は典型的に、Diameterプロトコルを介して他のノードにポリシー関連のメッセージを通信するためのDiameterクライアントおよび／またはサーバ１０８を含む。
【０００７】
ＡＮＤＳＦ１０４は、ポリシー関連のメッセージをユーザ装置ＵＥ１１４に通信するための自身のポリシーエンジン１１０およびＳ１４サーバ１１２を含む。ＡＮＤＳＦ１０４は、以下に関する情報を提供することによって、ＵＥ１１４などのＵＥが非３ＧＰＰネットワークを発見および選択するのを支援する。
【０００８】
（１）ＷｉＭＡＸなどのトラステッドネットワーク、およびＷｉ−Ｆｉネットワークなどのアントラステッドネットワークを含む、使用可能な非３ＧＰＰネットワーク、ならびにネットワーク名、セキュリティパラメータ等の情報。
【０００９】
（２）たとえば３ＧＰＰまたはＷｉ−Ｆｉのいずれか一方であるが両方ではない、単一のアクティブネットワーク接続を用いるＵＥのためのネットワーク選択ポリシーを含む、システム間モビリティポリシー（３ＧＰＰリリース９）。ポリシーは、場所、サービスエリア、日時等によって規定され得る。
【００１０】
（３）たとえば同時の３ＧＰＰおよびＷｉ−Ｆｉなどの、同時アクティブネットワーク接続を用いるＵＥのためのネットワーク選択ポリシーを含む、システム間ルーティングポリシー（３ＧＰＰリリース１０）。ネットワーク選択は、セッション、フロー、またはサービスによって行われ得る。ＵＥは、非シームレスアクセス、多重アクセスＰＤＮ接続性（ＭＡＰＣＯＮ）、またはＩＰフローモビリティ（ｌＦＯＭ）を使用し得る。
【００１１】
ＡＮＤＳＦ１０４は、典型的に、携帯電話ネットワークからＷｉ−ＦｉまたはＷｉＭＡＸなどの非３ＧＰＰネットワーク上にコールまたはデータセッションをオフロードするために使用される。
【００１２】
ネットワーク１００は、さらにさまざまなアクセスネットワークを含み、これによってＵＥ１１４はコアネットワーク１１６に接続し得る。図１に示される実施形態では、ネットワーク１００は、ＬＴＥネットワーク１１８などの３ＧＰＰアクセスネットワーク、ＷｉＭＡＸネットワーク１２０などのトラステッドアクセスネットワーク、Ｗｉ−Ｆｉネットワーク１２２などのアントラステッドアクセスネットワークに接続される。
【００１３】
ＰＤＮゲートウェイ（ＰＧＷ）１２４は、ＬＴＥネットワーク１１８などの３ＧＰＰネットワークおよびＷｉＭＡＸネットワーク１２０などのトラステッドネットワークを介して、コアネットワーク１１６とＵＥ１１４との間の接続性を提供する。ＰＧＷ１２４は、ポリシーエンフォースメント、ユーザ毎のパケットフィルタリング、課金サポート、合法的傍受、およびパケットスクリーニングを行う。ＰＧＷ１２４は、Ｓ５インターフェイスを介してＬＴＥネットワーク１１８と通信し、Ｓ２ａインターフェイスを介してＷｉＭＡＸネットワーク１２０と通信する。ＰＧＷ１２４は、Ｇｘインターフェイスを介してＰＣＲＦ１０２と通信する。
【００１４】
発展型パケットデータゲートウェイ（evolved packet data gateway：ｅＰＤＧ）１２６は、Ｗｉ−Ｆｉネットワーク１２２などのアントラステッド非３ＧＰＰアクセスネットワーク上でＵＥ１１４とコアネットワーク１１６との間の安全なデータ送信を提供する。ｅＰＤＧ１２６は、ＳＷｎインターフェイスを介してＷｉ−Ｆｉネットワーク１２２と通信する。ｅＰＤＧ１２６は、Ｇｘｂインターフェイスを介してＰＣＲＦ１０２と通信する。ＰＧＷ１２４およびｅＰＤＧ１２６は、Ｓ２ｂインターフェイスを介して互いに通信し得る。
【００１５】
ホーム加入者サーバ（ＨＳＳ）１２８は、加入者プロファイル情報のためのリポジトリであり、ＬＤＡＰを介して、またはデータベースクエリーをサポートする他のプロトコルを介して、Ｓｈインターフェイスを用いてＰＣＲＦ１０２と通信し得る。
【００１６】
アプリケーション機能（ＡＦ）１３０はネットワークへのサービスを提供し、Ｒｘインターフェイスを介してＰＣＲＦ１０２と通信し得る。
【００１７】
図１に示される例では、ＡＮＤＳＦ１０４はインターネットなどのパケットデータネットワーク（ＰＤＮ）１３２の一部であり、Ｓ１４インターフェイスをサポートし、これを用いてＡＮＤＳＦ１０４はＵＥ１１４などのＵＥと通信し得る。ＰＧＷ１２４も、ＳＧｉインターフェイスを介してＰＤＮ１３２に接続する。ＰＤＮ１３２もＷｉ−Ｆｉネットワーク１２２に接続される。
【００１８】
ＡＮＤＳＦ１０４などの従来のＡＮＤＳＦに関連する不利点がある。従来のＡＮＤＳＦ１０４は、使用可能なアクセスネットワーク１１８，１２０および１２２についての情報をＵＥ１１４に与え、使用可能なネットワークのうちの１つに接続するようにＵＥ１１４に随意に指示できるが、従来のＡＮＤＳＦ１０４は、コアネットワーク１１６内の使用可能な情報へのアクセスを有しない。特に、ＡＮＤＳＦ１０４は自身のポリシーエンジン１１０を有し得るが、ＡＮＤＳＦ１０４は、コアネットワーク１１６からポリシー情報を受信するのに使用可能なＰＣＲＦ１０２またはいずれかの他のポリシーおよび課金機能への接続を有しないため、アクセスネットワークを識別および／または選択する際にコアネットワークポリシーを考慮することができない。さらに、従来のＡＮＤＳＦ１０４は、ＨＳＳ１２８、ＡＦ１３０、ゲートウェイ１２４および１２６、トラフィック検出機能などの他のコアネットワーク要素へのアクセスを有しない。この結果、ＡＮＤＳＦ１０４は、コールオフロードに関する単純化した決定しか下すことができない。ＡＮＤＳＦ１０４は単純な静的ポリシーしか実現できず、たとえばメンテナンスによるネットワーク上の現在のネットワーク負荷またはノードの利用不能などの変数に基づく動的ポリシーを実現できない。
【００１９】
ＰＣＲＦ、ＨＳＳ、ゲートウェイ、アプリケーション機能、およびトラフィック検出機能などのコアネットワーク内のノードと調和して、コールオフロードに関するよりインテリジェントな決定を下す能力などの能力が向上したＡＮＤＳＦを有することが望まれる。また、エンハンスドＡＮＤＳＦは、現在のどのネットワーク規格にもサポートされていない態様でＵＥとＰＣＲＦとの間の通信を可能にするように一意に位置付けられることになる。したがって、従来のＡＮＤＳＦに関するこれらの困難に鑑みて、アクセスネットワーク発見および選択のための方法、システム、およびコンピュータ読取可能媒体が必要である。
【発明の概要】
【課題を解決するための手段】
【００２０】
概要
一局面によると、ここに記載される主題は、アクセスネットワーク発見および選択のためのシステムを含む。当該システムは、ユーザ装置（ＵＥ）がコアネットワークに接続するのに使用可能なアクセスネットワークを当該ＵＥに対して識別するための選択機能（ＡＮＤＳＦ）ネットワーク要素を含み、ＡＮＤＳＦは、コアネットワーク内のノードと通信するためのインターフェイスを含む。ＡＮＤＳＦは、コアネットワーク内のノードから情報を受信し、受信した情報に少なくとも一部基づいて、アクセスネットワーク発見または選択動作を行うように構成される。
【００２１】
別の局面によると、ここに記載される主題は、アクセスネットワーク発見および選択のための方法を含む。当該方法は、ユーザ装置（ＵＥ）がコアネットワークに接続するのに使用可能なアクセスネットワークを当該ＵＥに対して識別するためのアクセスネットワーク発見および選択機能（ＡＮＤＳＦ）であって、コアネットワーク内のノードと通信するためのインターフェイスを含むＡＮＤＳＦにおいて、コアネットワーク内のノードから情報を受信すること、および受信した情報に少なくとも一部基づいて、アクセスネットワーク発見または選択機能を実行することを含む。
【００２２】
ここに記載される主題は、ハードウェアおよび／またはファームウェアと組合わされるソフトウェアにおいて実現され得る。たとえば、ここに記載される主題は、プロセッサによって実行されるソフトウェアにおいて実現され得る。１つの例示的な実現では、ここに記載される主題は、コンピュータのプロセッサによって実行されると当該コンピュータを制御してステップを実行させるコンピュータ実行可能命令を格納している非一時的なコンピュータ読取可能媒体を用いて実現され得る。ここに記載される主題を実現するのに適した例示的なコンピュータ読取可能媒体は、ディスクメモリデバイス、チップメモリデバイス、プログラマブルロジックデバイス、および特定用途向け集積回路などの非一時的なコンピュータ読取可能媒体を含む。さらに、ここに記載される主題を実現するコンピュータ読取可能媒体は、単一の装置もしくはコンピューティングプラットフォームに位置してもよいし、または複数の装置もしくはコンピューティングプラットフォームにわたって分散してもよい。
【００２３】
ここに記載される主題の好ましい実施形態が、同様の参照番号は同様の部分を表わす添付図面を参照して説明される。
【図面の簡単な説明】
【００２４】
【図１】従来の電気通信ネットワークの一部を示すネットワーク図である。
【図２】ここに記載される主題の実施形態に係るアクセスネットワーク発見および選択のための例示的なシステムを示すブロック図である。
【図３】ここに記載される主題の実施形態に係るアクセスネットワーク発見および選択のための例示的なプロセスを示すフローチャートの図である。
【発明を実施するための形態】
【００２５】
詳細な説明
ここに開示される主題に従って、アクセスネットワーク発見および選択のための方法、システム、およびコンピュータ読取可能媒体が提供される。本発明の例示的な実施形態が詳細に記載され、その例は添付図面に示される。可能な限り、同一の参照番号は同一または同様の部分を指すように図面全体にわたって用いられる。
【００２６】
図２は、ここに記載される主題の実施形態に係るアクセスネットワーク発見および選択のための例示的なシステムを示すブロック図である。図２に示されるネットワーク２００は、ネットワーク２００がエンハンスドアクセスネットワーク発見および選択機能であるＡＮＤＳＦ２０２を含む以外は、図１に示されるネットワーク１００と同一である。
【００２７】
ＡＮＤＳＦ２０２はコアネットワークインターフェイス２０４を含み、これによってＡＮＤＳＦ２０２は、ＰＣＲＦ１０２、ＨＳＳ１２８、ＡＦ１３０、ゲートウェイ１２４および１２６、ならびに図示されないトラフィック検出機能（ＴＤＦ）を含むがこれらに限定されないコアネットワーク１１６内のノードと通信できる。たとえば図２に示される実施形態では、ＡＮＤＳＦ２０２はＰＣＲＦ１０２と通信する。これによって、エンハンスドＡＮＤＳＦ２０２は、アクセスネットワーク発見および選択を行う際にポリシー情報を使用できる。ＡＮＤＳＦ２０２もやはりＳ１４サーバ１１２を含み、これによってＡＮＤＳＦ２０２は、Ｓ１４プロトコルを用いて、ＵＥ１１４などのＵＥと通信できる。
【００２８】
図２に示される実施形態では、ＡＮＤＳＦ２０２は、接続２０６を介してＰＣＲＦ１０２と通信し得る。一実施形態では、コアネットワークインターフェイス２０４はDiameterプロトコルをサポートし得、その場合、接続２０６はDiameter接続であり得、コアネットワークインターフェイス２０４はDiameterインターフェイスであり得、これはDiameterサーバおよび／またはクライアントの一部であり得る。代替的に、ＡＮＤＳＦ２０２は、ＨＴＴＰ等の他のプロトコルを介してＰＣＲＦ１０２およびコアネットワーク１１６内の他のノードと通信してもよい。
【００２９】
ＡＮＤＳＦ２０２はＰＣＲＦ１０２と直接通信できるため、ＡＮＤＳＦ２０２はすべてのポリシー決定についてＰＣＲＦ１０２に従い得る。ポリシーエンジン１１０を含む図１の従来のＡＮＤＳＦ１０４とは異なり、図２に示される実施形態では、ＡＮＤＳＦ２０２はポリシーエンジンを含まない。しかし、代替の実施形態では、ＡＮＤＳＦ２０２はポリシーエンジン１１０およびコアネットワークインターフェイス２０４の両方を含んでもよい。
【００３０】
ＡＮＤＳＦ２０２はコアネットワーク１１６内のノードから情報を受信し得、ＡＮＤＳＦ２０２は、アクセスネットワークを選択し、選択したアクセスネットワークをＵＥ１１４に対して識別する間、当該情報を使用し得る。ＡＮＤＳＦ２０２は、ＡＮＤＳＦ２０２からノードに送信された要求に応じてノードからそのような情報を受信し得、ノードはこの情報を一方的に送信し得るか、またはノードはこの情報をネットワークイベントもしくはＡＮＤＳＦ２０２以外のノードからの要求に応じて送信し得る。たとえば図２に示される実施形態では、ＡＮＤＳＦ２０２は、アクセスポリシー、モビリティポリシー、ルーティングポリシー、オフロードポリシー、およびトラフィック優先順位付けポリシーを含むＰＣＲＦ１０２からのポリシー情報を受信して実現し得る。ＰＣＲＦ１０２は、使用可能なコアおよび／もしくはアクセスネットワークの存在または状態についての情報を提供し得る。
【００３１】
一実施形態では、ＡＮＤＳＦ２０２はコアネットワーク内のノードに情報を送信し得る。この情報は、ノードからの情報の要求、ノードから受信した情報の確認、ノードが要求した機能を実行する際の成功または失敗の通知、ＵＥ１１４によるアクティビティまたはアクティビティの変更の通知、およびＵＥ１１４の状態または状態の変化の通知を含むが、これらに限定されない。たとえば図２に示される実施形態では、ＡＮＤＳＦ２０２がＰＣＲＦ１０２に送信し得る情報は、ポリシーを実現する際の成功または失敗の通知も含み得る。
【００３２】
一実施形態では、ＡＮＤＳＦ２０２は、ＵＥ１１４とＰＣＲＦ１０２とが通信するのに使用し得るパイプとして動作し得る。たとえば、ＡＮＤＳＦ２０２はむしろ、ＰＣＲＦが従来から通信していたゲートウェイのように動作し得る。ＵＥは従来から、ポリシーおよび課金エンフォースメント機能（policy and charging enforcement function：ＰＣＥＦ）の制御下で動作し、ＰＣＲＦと直接相互に作用しない。ＡＮＤＳＦ２０２を介して通信路を提供することによって、従来のネットワーク内のすべてのパーティには使用可能でない情報に基づいてコールオフロード決定を下すことができる。たとえば、ＰＣＲＦ１０２は、１つのアクセスネットワークが別のアクセスネットワークよりも安価であるか否かを示す情報や、加入者が、より安価であるがより遅いアクセスネットワークにオフロード可能な下級層加入者に対して、より高速であるがより高価なアクセスネットワークにオフロード可能な上級層加入者であるか否かなどの加入者についての情報を、ＡＮＤＳＦ２０２に提供し得る。
【００３３】
同様に、ＵＥ１１４は、ＡＮＤＳＦ２０２を用いて、ＵＥ１１４が高帯域幅アプリケーションを開始しているという通知などの、ＰＣＲＦ１０２が有意であると考え得る情報をＰＣＲＦ１０２に通信し得る。ＰＣＲＦ１０２は次に、たとえばＰＧＷ１２４またはｅＰＤＧ１２６などの必要なゲートウェイにポリシーを確実にプッシュダウンして、当該アプリケーションに必要な帯域幅がネットワークを介して装置に確実に使用可能であるようにし得るか、または悪用が検出された場合にスロットリングポリシーを適用し得る。こうして、ＡＮＤＳＦ２０２は、従来のネットワーク中心のアプローチに対してＵＥ中心のサービスへのアプローチを提供する。
【００３４】
ＡＮＤＳＦ２０２は自身のコアネットワークインターフェイス２０４を用いて、従来のＡＮＤＳＦがアクセスを有しないコアネットワーク内の他のノードとも通信し得る。たとえば図２に示される実施形態では、ＡＮＤＳＦ２０２はＨＳＳ１２８などの加入者プロファイルリポジトリと通信し得、これによってＡＮＤＳＦ２０２は、プロファイル情報、加入者層またはサービスレベル（たとえばゴールド／ブロンズ／シルバー）、ＱｏＳデータ、データプラン制限、現在の使用および割当、ならびに他の加入者情報を含む加入者データにアクセスできる。ＡＮＤＳＦ２０２はＡＦ１３０などのアプリケーション機能と通信し得、これによってＡＮＤＳＦ２０２は、アクセスネットワーク接続イベントに応じてアプリケーションをトリガできる。ＡＮＤＳＦ２０２は、ＰＧＷ１２４およびｅＰＤＧ１２６、ならびにトラフィック検出機能などのゲートウェイと通信し得、これによって、従来のＡＮＤＳＦ１０４によって実現可能であるよりもきめ細かいアクセス制御が可能になる。
【００３５】
図３は、ここに記載される主題の実施形態に係るアクセスネットワーク発見および選択のための例示的なプロセスを示すフローチャートである。このプロセスは、図２および図３を参照して説明される。
【００３６】
図３のステップ３００において、コアネットワーク内のノードと通信するためのインターフェイスを含むＡＮＤＳＦは、このインターフェイスを介してコアネットワーク内のノードから情報を受信する。図２に示される実施形態では、ＡＮＤＳＦ２０２はＰＣＲＦ１０２から情報を受信し得、ＡＮＤＳＦ２０２はこの情報を自身のコアネットワークインターフェイス２０４を介して受信する。一実施形態では、コアネットワークインターフェイス２０４は、ＰＣＲＦ１０２内のDiameterクライアント１０８とDiameterメッセージを通信し合うDiameterサーバであり得る。ＰＣＲＦ１０２は、ＡＮＤＳＦ２０２からのそのような情報の要求に応じて、および／またはシステム内の別のノードからの要求もしくは情報に応じて、ＡＮＤＳＦ２０２にポリシー情報を一方的に送信し得る。
【００３７】
ステップ３０２において、ＡＮＤＳＦは、受信した情報に少なくとも一部基づいて、アクセスネットワーク発見または選択動作を行う。ＰＣＲＦ１０２からのポリシー情報の受信に応じて、ＡＮＤＳＦ２０２は、受信したポリシー情報に基づいてポリシーを実現し得る。たとえば、ＡＮＤＳＦ２０２は、アクセスポリシー、モビリティポリシー、ルーティングポリシー、または他の種類のポリシーを実現し得る。ＡＮＤＳＦ２０２はオフロードを行い得、たとえば、１つのアクセスネットワークから別のアクセスネットワークに変更するようＵＥ１１４に指示し得る。ＡＮＤＳＦ２０２は、受信した情報を用いてトラフィックの優先順位を付け得る。そして、ＡＮＤＳＦ２０２は、コアネットワークまたはアクセスネットワークに関する情報を提供し得る。
【００３８】
一実施形態では、ＡＮＤＳＦ２０２は、コアネットワーク内のノードにも情報を送信し得る。この情報は、情報の要求、受信した情報の確認、ＵＥによるアクティビティまたはアクティビティの変更の通知、ＵＥの状態または状態の変化の通知、およびノードが要求した機能を実行する際の成功または失敗の通知を含み得るが、これらに限定されない。たとえば図２に示される実施形態では、ＡＮＤＳＦ２０２は、ポリシーを実現する際の成功または失敗の通知を含むがこれらに限定されない情報をＰＣＲＦ１０２に送信し得る。
【００３９】
コアネットワークインターフェイス２０４をコアネットワーク１１６内のノードと通信させることによって、ＡＮＤＳＦ２０２にはよりインテリジェントな決定を下す能力が与えられる。たとえば、ＡＮＤＳＦ２０２は、以下のときに、ＰＣＲＦ１０２から受信したポリシー情報を考慮することができる。
【００４０】
・ＵＥがコアネットワークまたは別のネットワークに接続するのに使用可能な第１のアクセスネットワークをＵＥに対して識別するとき
・ＵＥがコアネットワークまたは別のネットワークに接続するのに使用可能な第２のまたは代替のアクセスネットワークをＵＥに対して識別するとき
・識別したアクセスネットワークを介してコアネットワークまたは他のネットワークに接続するように、または当該ネットワークから切断するようにＵＥに指示するとき
・１つのアクセスネットワークを用いてコアネットワークに接続することから、別のアクセスネットワークを用いてコアネットワークに接続するよう変更するようにＵＥに指示するとき
・１つのアクセスネットワークを用いてコアネットワークに接続することから、別のアクセスネットワークを用いてコアネットワーク以外のネットワークに接続するよう変更するようにＵＥに指示するとき
コアネットワークインターフェイス２０４は、ＡＮＤＳＦ２０２に、ＨＳＳ１２８からの加入者データを使用する能力、ＡＦ１３０によってホストされるアプリケーションをトリガする能力、ならびにゲートウェイ１２４および１２６を介してアクセスを制御する能力を与える。他の利点には以下が含まれる。
【００４１】
・全体的なポリシー実現。ＰＣＲＦ１０２においてネットワークポリシーを、およびＡＮＤＳＦ２０２において非３ＧＰＰアクセスポリシーを書くことが不要となる。代わりに、ＰＣＲＦ１０２は複数のネットワーク種類についてのポリシーを格納し得る。
【００４２】
・単純化された管理。既存のポリシープロビジョニングおよび管理インターフェイスは、コンフィギュレーション管理プラットフォーム、すなわちＣＭＰを介して使用され得る。
【００４３】
・動的なオフロードポリシー。以下を含む既存のＰＣＲＦインターフェイスがＷｉ−Ｆｉオフロードポリシーに使用可能になる。
【００４４】
・Ｇｘ／Ｇｘｂ／Ｓｄ：ゲートウェイおよびＴＤＦからのセッション情報
・Ｓｈ／ＬＤＡＰ：ＨＳＳ／ＳＰＲ／ＵＤＲからの加入者プロファイル、割当、およびエンタイトルメントデータ
・Ｒｘ：インターネットプロトコル（ＩＰ）マルチメディアシステム（ＩＭＳ）およびオーバーザトップ（ＯＴＴ）システムからのアプリケーション情報
・Ｓｙ：オンライン課金システム（ＯＣＳ）からの金銭的閾値通知
ＡＮＤＳＦ２０２によって与えられるさらに別の利点は、ＡＮＤＳＦ２０２がＰＣＲＦ１０２にモバイル機器への直接アクセスを提供することである。一実施形態では、ＡＮＤＳＦ２０２は、ＰＣＲＦ１０２とＵＥ１１４などのネットワーク上のＵＥとの間の仲介プラットフォームとして作用するモバイルポリシーゲートウェイ、すなわちＭＰＧになる。ＡＮＤＳＦ２０２がＭＰＧとして作用する場合、モバイル機器をエンフォースメントポイントとアプリケーション機能との組み合わせとして取扱うポリシーが可能になる。たとえば、ＵＥ１１４は、ＰＣＲＦ１０２からオフロードルールを受信し得る。一実施形態では、ＵＥ１１４に送信されるルールは、加入者の層に依存して異なり得る。同様に、ＵＥ１１４は、ＰＣＲＦ１０２に有意な情報を送信し得る。たとえば、ＵＥ１１４は、ＵＥ１１４によってホストされるアプリケーションをユーザが開始すると、「アプリケーション開始」という通知を送信し得る。
【００４５】
コアネットワークポリシーとモバイルポリシーとの１つの相違点は、モバイル機器はアントラステッド機器として取扱われる必要があり、モバイル機器からのメッセージは偽造の可能性があり、モバイル機器へのメッセージは無視されるか受付けられない場合があることである。モバイル機器に対するポリシーを、モバイルポリシーゲートウェイとして作用するＡＮＤＳＦ２０２を介して適用すると、機器をハッキングする動機付けを取除くか低減させることができる。モバイルに対するポリシーによって、オペレータは、ネットワーク状況および性能に基づいて機器を最良の使用可能なネットワークに移動させることによって、加入者がピーク時の使用の追加料金を回避することによって節約できるようにデータ使用をオフピーク時に動かすことによって、ならびに、不正を行っているモバイルアプリケーションを選択的にブロックまたはファイアウォールすることによって、ユーザのエクスペリエンスを改善できる。
【００４６】
ＡＮＤＳＦ２０２をモバイルポリシーゲートウェイとして使用することによって、オペレータは、Ｗｉ−Ｆｉの加入者は収益を挙げないため、必要なときだけＵＥをＷｉ−Ｆｉにオフロードすることができる。ＡＮＤＳＦ２０２は、優先的なＬＴＥネットワークアクセスをより高層の加入者に提供すること、割当ベースのオフロードを提供すること（すなわちオフロード決定を使用可能なユーザ割当に結び付ける）、収益の低い加入者のオフロードの優先順位を付けること（たとえば会社ＵＥよりも消費者ＵＥ、または電話よりもモバイルツーモバイル（Ｍ２Ｍ）機器）などのリアルタイムの動的能力を提供し得る。ＭＰＧとしてのＡＮＤＳＦ２０２の他の利点には、ＯＴＴプロバイダからのアプリケーション通知に基づいてオフロードする能力（たとえばストリーミングビデオの開始）、残高のない（out-of-credit）プリペイドの顧客をオフロードする能力（たとえば彼らを単に遮断することの代替案として）、およびＴＤＦベースのオフロード能力（たとえばコンテンツフィルタ、コンテンツデリバリーもしくは流通ネットワーク、またはキャッシュを用いて顧客をオフロードしない）が含まれる。最後に、ＡＮＤＳＦ２０２はスマートなオフロードを行うことができ、たとえば、ＡＮＤＳＦ２０２は、受信信号強度通知（ＲＳＳＩ）または全地球測位システム（ＧＰＳ）位置情報などのネットワーク状況を考慮するオフロード規則をＵＥ１１４に送信できる。
【００４７】
モバイル機器にポリシーをプッシュすることによって、ＡＮＤＳＦ２０２は、従来のネットワークが実現不可能なポリシーを適用する能力を提供する。たとえば、アプリケーションの中にはネットワーク内で検出できないものがある。ディープパケットインスペクション（ＤＰＩ）さえも、特にデータが暗号化されている場合はすべてのアプリケーションを識別できるとは限らない。ＯＴＴは、アプリケーション情報を提供する際に協力しない場合がある。ＵＥ自体によるポリシーの適用によって、ＵＥにおけるアプリケーション開始および他のアクションを検出できる。使用データを利用する２つのモデルは、ＰＣＲＦが、使用データを用いて決定を下すＵＥ規則を送信する（たとえばアプリケーションＸが作動している場合はオフロードのみ）ＰＣＥＦモデルと、モバイルポリシークライアントがＰＣＲＦにアプリケーションメッセージを送信してポリシーをトリガする（たとえばアプリケーションＸが作動している場合は帯域幅を増大する）ＡＦモデルとを含む。また、ＰＣＲＦは、アプリケーション開始／停止イベント、アプリケーションイベント情報（たとえばビデオ再生／休止／シークなどの、アプリケーションにおける特定のユーザアクションに結び付けられたイベント）、およびイベントまたは閾値通知（たとえばイベントＸが今日４回起こった）などの、モバイル機器から直接送信され、他の方法ではネットワークに使用可能でないアプリケーション実行データを使用できる。
【００４８】
モバイルに対するポリシーによって、インタラクティブな動的なアップセルも可能になる。少なくとも２種類の従来のアップセルメカニズムがある。すなわち、ｅメールおよびダイレクトメールなどの事後マーケティング、ならびにポータルリダイレクトおよびＳＭＳなどのリアルタイムマーケティングである。事後マーケティングはリアルタイムマーケティングほど有効でないが、リアルタイムマーケティングはユーザをエクスペリエンスから取出し、何らかの種類のリダイレクトがネットワーク内で行なわれることを要求する。モバイルに対するポリシーは、アップセルに対するより自然でシームレスなインターフェイスを提供する。たとえば、オペレータは、アプリケーション環境の中で、かつユーザエクスペリエンスの混乱を最小限に抑えて、アップセル製品をユーザに提供し得る。オペレータはさらに、特定用途向けのブランディングされたインターフェイスを提示し得る。
【００４９】
ＡＮＤＳＦ２０２はさらに、アプリケーション時間および場所移動を制御し得る。たとえば、オペレータは、高帯域幅アプリケーションの使用を「移動させる」ために加入者にインセンティブを提供し得る。これは、時間移動（たとえば一定時間のアプリケーションの実行の遅延）および場所移動（たとえばアプリケーションを一定領域の内部／外部のみで実行）の両方を含む。モバイルポリシークライアントは、ブラックアウト期間が終了すると、アプリケーションを自動的に再開できる（またはユーザにそのように警告できる）。
【００５０】
モバイルに対するポリシーをプッシュすることによって、ＡＮＤＳＦ２０２は、ＵＥにおけるアプリケーションファイアウォール化を提供し得る。不適切に挙動するモバイルアプリケーションは、重大な帯域幅の不足、および場合によってはシグナル伝達ネットワークの削除を含む、重大なネットワーク問題をオペレータに引起こし得る。モバイルに対するポリシーによって、オペレータは、モバイル機器における個々のアプリケーションをスロットルまたはファイアウォールするポリシーを迅速に作成および展開することができる。これによって、アプリケーションプロバイダが応急処置を押出すことができるまで、オペレータに有効な応急の解決策が与えられる。
【００５１】
ＡＮＤＳＦ２０２のさらに別の利点は、モバイルにおけるエンハンスドメッセージングが可能になることである。モバイルにおけるメッセージングによって、加入者とリアルタイムで相互に作用するポリシーが可能になる。たとえば、リアルタイムメッセージングでなされるオファーは、事後メッセージング（ｅメールなど）を介してなされるオファーよりも取込速度がはるかに速い。モバイルにおける従来のメッセージングは破壊的であり、ユーザのエクスペリエンスの品質を低下させる。たとえば、ＳＭＳは、グラフィックインターフェイスのない、テキストベースのメッセージングのみであり、ユーザはメッセージを受信および返信するためにアプリケーションを中断するか出ることが必要である。メッセージリダイレクトはブラウザベースのインターフェイスを必要とし、これは非ブラウザアプリケーションにとって破壊的である。さらに、リダイレクトは、ブラウザナビゲーション（たとえば「戻る」ボタン）を遮断し得る。モバイルポリシークライアントは、よりシームレスなインターフェイスをユーザに提示し得る。モバイルポリシークライアントは、メッセージのブロッキングおよび非ブロッキングの両方をサポートし得る（メッセージのブロッキングによって、決定が下されるまでアプリケーション実行を防止できる）。これによって、オペレータは、カスタマイズされたメッセージングインターフェイスを作成できる。ＵＩをブランディングまたはカスタマイズ化することによってエクスペリエンスがよりシームレスになり、混乱が減少する。
【００５２】
一実施形態では、アクセスネットワーク発見および選択のためのシステムは、ユーザ装置（ＵＥ）がコアネットワークに接続するのに使用可能なアクセスネットワークをＵＥに対して識別するためのアクセスネットワーク発見および選択機能（ＡＮＤＳＦ）ネットワーク要素を含み、ＡＮＤＳＦは、コアネットワーク内のノードと通信するためのインターフェイスを含み、ＡＮＤＳＦは、インターフェイスを介してコアネットワーク内のノードから情報を受信し、受信した情報に少なくとも一部基づいて、アクセスネットワーク発見または選択動作を行うように構成される。
【００５３】
コアネットワーク内のノードと通信するためのインターフェイスは、Diameterプロトコルメッセージを送受信するためのDiameterインターフェイス、またはハイパーテキスト転送プロトコル（ＨＴＴＰ）メッセージを送受信するためのインターフェイスであり得る。ＡＮＤＳＦは、コアネットワーク内のノードに情報を送信するように構成され得る。この情報は、ノードからの情報の要求、ノードから受信した情報の確認、ノードが要求した機能を実行する際の成功または失敗の通知、ＵＥによるアクティビティまたはアクティビティの変更の通知、およびＵＥの状態または状態の変化の通知を含み得るが、これらに限定されない。一実施形態では、ＡＮＤＳＦは、コアネットワーク内のノードへの要求の送信に応じて、コアネットワーク内のノードから情報を受信する。ＡＮＤＳＦは、ポリシーおよび課金ルール機能（ＰＣＲＦ）、ホーム加入者サーバ（ＨＳＳ）、アプリケーション機能（ＡＦ）、トラフィック検出機能（ＴＤＦ）、ゲートウェイ（ＧＷ）などの情報をコアネットワーク内の他のノードと送受信するように構成され得る。
【００５４】
一実施形態では、ＡＮＤＳＦは、ＰＣＲＦからの情報の受信に応じてポリシーを実現する。ポリシーの実現は、アクセスポリシーの実現、モビリティポリシーの実現、ルーティングポリシーの実現、オフロードの実行、トラフィックの優先順位付け、コアネットワークについての情報の提供、およびアクセスネットワークについての情報の提供を含み得るが、これらに限定されない。たとえば、ＡＮＤＳＦは、ポリシーを実現する際の成功または失敗の通知を含む情報をＰＣＲＦに送信し得る。
【００５５】
ＡＮＤＳＦは、ＵＥがコアネットワークに接続するのに使用可能な第１のアクセスネットワークをＵＥに対して識別すること、ＵＥがコアネットワークに接続するのに使用可能な第２のアクセスネットワークをＵＥに対して識別すること、識別したアクセスネットワークを介してコアネットワークに接続するようにＵＥに指示すること、識別したアクセスネットワークを介してコアネットワークへの既存の接続を終了するようにＵＥに指示すること、および、１つのアクセスネットワークを用いてコアネットワークに接続することから、別のアクセスネットワークを用いてコアネットワークに接続するよう変更するようにＵＥに指示することなどの動作を行うように構成され得る。アクセスネットワーク発見または選択動作を行う他の例は、ＵＥがコアネットワーク以外のネットワークに接続するのに使用可能な第１のアクセスネットワークをＵＥに対して識別すること、ＵＥがコアネットワーク以外のネットワークに接続するのに使用可能な第２のアクセスネットワークをＵＥに対して識別すること、識別したアクセスネットワークを介してコアネットワーク以外のネットワークに接続するようにＵＥに指示すること、識別したアクセスネットワークを介してコアネットワーク以外のネットワークへの既存の接続を終了するようにＵＥに指示すること、および、１つのアクセスネットワークを用いてコアネットワークに接続することから、別のアクセスネットワークを用いてコアネットワーク以外のネットワークに接続するよう変更するようにＵＥに指示することを含む。
【００５６】
一実施形態では、アクセスネットワーク発見および選択のための方法は、ユーザ装置（ＵＥ）がコアネットワークに接続するのに使用可能なアクセスネットワークをＵＥに対して識別するためのアクセスネットワーク発見および選択機能（ＡＮＤＳＦ）であって、コアネットワーク内のノードと通信するためのインターフェイスを含むＡＮＤＳＦにおいて、インターフェイスを介してコアネットワーク内のノードから情報を受信すること、および受信した情報に少なくとも一部基づいて、アクセスネットワーク発見または選択機能を実行することを含む。コアネットワーク内のノードから情報を受信することは、Diameterプロトコルメッセージを受信すること、およびハイパーテキスト転送プロトコル（ＨＴＴＰ）メッセージを受信することを含み得るが、これらに限定されない。
【００５７】
当該方法は、コアネットワーク内のノードに情報を送信することを含み得る。そのような情報の例は、ノードからの情報の要求、ノードから受信した情報の確認、ノードが要求した機能を実行する際の成功または失敗の通知、ＵＥによるアクティビティまたはアクティビティの変更の通知、およびＵＥの状態または状態の変化の通知を含むが、これらに限定されない。
【００５８】
当該方法は、コアネットワーク内のノードへの要求の送信に応じて、コアネットワーク内のノードから情報を受信することを含み得る。ポリシーおよび課金ルール機能（ＰＣＲＦ）、ホーム加入者サーバ（ＨＳＳ）、アプリケーション機能（ＡＦ）、トラフィック検出機能（ＴＤＦ）、およびゲートウェイ（ＧＷ）を含むがこれらに限定されない情報が、コアネットワーク内のノードから受信され得る。
【００５９】
当該方法は、ＰＣＲＦから情報を受信すること、およびＰＣＲＦからの情報の受信に応じてポリシーを実現することを含み得る。ポリシーの実現は、アクセスポリシーの実現、モビリティポリシーの実現、ルーティングポリシーの実現、オフロードの実行、トラフィックの優先順位付け、コアネットワークについての情報の提供、およびアクセスネットワークについての情報の提供を含み得るが、これらに限定されない。当該方法は、ＰＣＲＦに情報を送信することを含み得る。ＰＣＲＦに送信され得る情報は、ポリシーを実現する際の成功または失敗の通知を含み得る。
【００６０】
一実施形態では、アクセスネットワーク発見または選択動作を行うことは、ＵＥがコアネットワークに接続するのに使用可能な第１のアクセスネットワークをＵＥに対して識別すること、ＵＥがコアネットワークに接続するのに使用可能な第２のアクセスネットワークをＵＥに対して識別すること、識別したアクセスネットワークを介してコアネットワークに接続するようにＵＥに指示すること、識別したアクセスネットワークを介してコアネットワークへの既存の接続を終了するようにＵＥに指示すること、および、１つのアクセスネットワークを用いてコアネットワークに接続することから、別のアクセスネットワークを用いてコアネットワークに接続するよう変更するようにＵＥに指示することを含み得るが、これらに限定されない。アクセスネットワーク発見または選択動作を行う他の例は、ＵＥがコアネットワーク以外のネットワークに接続するのに使用可能な第１のアクセスネットワークをＵＥに対して識別すること、ＵＥがコアネットワーク以外のネットワークに接続するのに使用可能な第２のアクセスネットワークをＵＥに対して識別すること、識別したアクセスネットワークを介してコアネットワーク以外のネットワークに接続するようにＵＥに指示すること、識別したアクセスネットワークを介してコアネットワーク以外のネットワークへの既存の接続を終了するようにＵＥに指示すること、および、１つのアクセスネットワークを用いてコアネットワークに接続することから、別のアクセスネットワークを用いてコアネットワーク以外のネットワークに接続するよう変更するようにＵＥに指示することを含む。
【００６１】
ここに記載される主題のさまざまな詳細は、ここに記載される主題の範囲から逸脱することなく変更され得ることが理解されるであろう。さらに、上記の説明は例示のために過ぎず、限定のためではない。
【図１】
2015524194.tif 000003
【図２】
2015524194.tif 000004
【図３】
2015524194.tif 000005
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
アクセスネットワーク発見および選択のためのシステムであって、前記システムは、
ユーザ装置（ＵＥ）がコアネットワークに接続するのに使用可能なアクセスネットワークを前記ＵＥに対して識別するためのアクセスネットワーク発見および選択機能（ＡＮＤＳＦ）ネットワーク要素を備え、
前記ＡＮＤＳＦは、前記コアネットワークに関連付けられるポリシーおよび課金ルール機能（ＰＣＲＦ）と通信するためのインターフェイスを含み、前記ＡＮＤＳＦは、前記ＰＣＲＦから情報を受信し、前記ＡＮＤＳＦは、前記ＡＮＤＳＦが前記ＰＣＲＦから受信する前記情報に基づいて、アクセスネットワークを前記ＵＥに対して識別する、システム。
【請求項２】
前記ＵＥは、前記ＡＮＤＳＦによって前記ＵＥに対して識別された前記アクセスネットワークを使用する、請求項１に記載のシステム。
【請求項３】
前記ＡＮＤＳＦは、前記ＰＣＲＦからの前記情報の受信に応じてポリシーを実現する、請求項１に記載のシステム。
【請求項４】
ポリシーの実現は、アクセスポリシーの実現、モビリティポリシーの実現、ルーティングポリシーの実現、オフロードの実行、トラフィックの優先順位付け、コアネットワークについての情報の提供、およびアクセスネットワークについての情報の提供、の少なくとも１つを含む、請求項３に記載のシステム。
【請求項５】
前記ＡＮＤＳＦは、前記ＡＮＤＳＦから前記ＰＣＲＦに送信された要求に応じて、前記ＰＣＲＦから情報を受信する、請求項３に記載のシステム。
【請求項６】
ＡＮＤＳＦは前記ＰＣＲＦに情報を送信する、請求項１に記載のシステム。
【請求項７】
前記ＰＣＲＦに送信される前記情報は、
前記ＰＣＲＦからの情報の要求、
前記ＰＣＲＦから受信した情報の確認、
ポリシーを実現する際の成功または失敗の通知、
前記ＰＣＲＦが要求した機能を実行する際の成功または失敗の通知、
前記ＵＥによるアクティビティまたはアクティビティの変更の通知、および
前記ＵＥの状態または状態の変化の通知、
の少なくとも１つを含む、請求項６に記載のシステム。
【請求項８】
前記インターフェイスは、Diameterプロトコルおよびハイパーテキスト転送（ＨＴＴＰ）プロトコルの少なくとも一方を使用する、請求項１に記載のシステム。
【請求項９】
アクセスネットワーク発見および選択のための方法であって、前記方法は、
ユーザ装置（ＵＥ）がコアネットワークに接続するのに使用可能なアクセスネットワークを前記ＵＥに対して識別するためのアクセスネットワーク発見および選択機能（ＡＮＤＳＦ）ネットワーク要素において、ポリシーおよび課金ルール機能（ＰＣＲＦ）から情報を受信することと、
前記ＡＮＤＳＦにおいて、前記ＰＣＲＦから受信した前記情報に少なくとも一部基づいて機能を実行することとを備え、前記機能を実行することは、前記アクセスネットワークを前記ＵＥに対して識別することを含む、方法。
【請求項１０】
前記ＡＮＤＳＦによって前記ＵＥに対して識別された前記アクセスネットワークを、前記ＵＥによって使用することを備える、請求項９に記載の方法。
【請求項１１】
前記機能を実行することは、ポリシーを実現することを含む、請求項９に記載の方法。
【請求項１２】
ポリシーの実現は、アクセスポリシーの実現、モビリティポリシーの実現、ルーティングポリシーの実現、トラフィックの優先順位付け、コアネットワークについての情報の提供、およびアクセスネットワークについての情報の提供、の少なくとも１つを含む、請求項１１に記載の方法。
【請求項１３】
ＰＣＲＦから情報を受信することは、前記ＡＮＤＳＦから前記ＰＣＲＦに送信された要求に応じて前記ＰＣＲＦから情報を受信することを含む、請求項９に記載の方法。
【請求項１４】
ＰＣＲＦから情報を受信することは、Diameterプロトコルおよびハイパーテキスト転送（ＨＴＴＰ）プロトコルの少なくとも一方を介して情報を受信することを含む、請求項９に記載の方法。
【請求項１５】
前記ＡＮＤＳＦから前記ＰＣＲＦに情報を送信することを備える、請求項９に記載の方法。
【請求項１６】
前記ＰＣＲＦに送信される前記情報は、
前記ＰＣＲＦからの情報の要求、
前記ＰＣＲＦから受信した情報の確認、
ポリシーを実現する際の成功または失敗の通知、
前記ＰＣＲＦが要求した機能を実行する際の成功または失敗の通知、
前記ＵＥによるアクティビティまたはアクティビティの変更の通知、および
前記ＵＥの状態または状態の変化の通知、
の少なくとも１つを含む、請求項１５に記載の方法。
【請求項１７】
前記ＰＣＲＦに送信される前記情報は、Diameterプロトコルおよびハイパーテキスト転送（ＨＴＴＰ）プロトコルの少なくとも一方を使用する、請求項９に記載の方法。
【請求項１８】
コンピュータのプロセッサによって実行されると前記コンピュータを制御してステップを実行させる実行可能命令を格納している非一時的なコンピュータ読取可能媒体であって、前記ステップは、
ユーザ装置（ＵＥ）がコアネットワークに接続するのに使用可能なアクセスネットワークを前記ＵＥに対して識別するためのアクセスネットワーク発見および選択機能（ＡＮＤＳＦ）ネットワーク要素において、ポリシーおよび課金ルール機能（ＰＣＲＦ）から情報を受信するステップと、
前記ＡＮＤＳＦにおいて、前記ＰＣＲＦから受信した前記情報に少なくとも一部基づいて機能を実行するステップとを備え、前記機能を実行するステップは、前記アクセスネットワークを前記ＵＥに対して識別するステップを含む、コンピュータ読取可能媒体。
【国際調査報告】
2015524194.tif 000006
2015524194.tif 000007